(57)【特許請求の範囲】
【請求項１】
画像形成装置で画像形成に用いられるカット紙を複数枚重ねた状態で収納するカット紙包装部材において、
蓋側と本体側とにカット紙包装部材を分けるための切離し線が形成され、
前記本体側であって、前記切離し線に隣接した位置に、センサで読み取り可能なカット紙情報が付されており、
前記蓋側を切り離して、該蓋側が取り外された側を前記画像形成装置に向けて、前記本体側に覆われている複数のカット紙を該画像形成装置に配した際、前記画像形成装置の前記カット紙の幅方向の位置をガイドするための固定ガイドに対向する面が取り外し可能に施されている、
ことを特徴とするカット紙包装部材。
【請求項２】
画像形成装置で画像形成に用いられる矩形状のカット紙を複数枚重ねた状態で収納するカット紙包装部材において、
収納されている矩形状の前記カット紙の長手方向の一端側が本体側となり、他端側が蓋側になるように、カット紙包装部材を分ける
ための第一の切離し線が形成され、
収納されている矩形状の前記カット紙の短手方向の一端側が本体側となり、他端側が蓋側になるように、カット紙包装部材を分ける
ための第二の切離し線が形成され、
前記第一の切離し線で分けられる場合の前記本体側の該第一の切離し線に隣接した位置、及び、前記第二の切離し線で分けられる場合の前記本体側の該第二の切離し線に隣接した位置に、それぞれ、センサで読み取り可能なカット紙情報が付されており、
いずれかの前記蓋側を切り離して、該蓋側が取り外された側を前記画像形成装置に向けて、前記本体側に覆われている複数のカット紙を該画像形成装置に配した際、前記画像形成装置の前記カット紙の幅方向の位置をガイドするための固定ガイドに対向する面が取り外し可能に施されている、
ことを特徴とするカット紙包装部材。
【請求項３】
請求項１及び２のいずれか一項に記載のカット紙包装部材において、
前記カット紙情報は、前記本体側を形成する複数の面のうち、包装されている複数のカット紙の一方の面に対向している面に付されている、
ことを特徴とするカット紙包装部材。
【請求項４】
請求項３に記載のカット紙包装部材において、
前記カット紙情報は、前記包装されている複数のカット紙の一方の面に対向している面の前記取り外し可能に施されている面側に付されている、
ことを特徴とするカット紙包装部材。
ことを特徴とする
【請求項５】
請求項１から４のいずれか一項に記載のカット紙包装部材において、
前記本体側から前記蓋側へ向うカット紙挿入方向と平行に、前記カット紙情報が並んで付されている、
ことを特徴とするカット紙包装部材。
【請求項６】
請求項１から５のいずれか一項に記載のカット紙包装部材において、
前記本体側から前記蓋側へ向うカット紙挿入方向を示す矢印が、該本体側に付されている、
ことを特徴とするカット紙包装部材。
【請求項７】
請求項１から６のいずれか一項に記載のカット紙包装部材において、
前記カット紙情報は、カット紙の型番、サイズ、紙種、厚さ、枚数、単価のうち、少なくとも一つを含む、
ことを特徴とするカット紙包装部材。
【請求項８】
請求項１から７のいずれか一項に記載のカット紙包装部材において、
前記カット紙情報は、バーコードで表示されている、
ことを特徴とするカット紙包装部材。
【請求項９】
請求項８に記載のカット紙包装部材において、
前記用紙情報は、前記バーコードに加え、文字でも表示されている、
ことを特徴とするカット紙包装部材。
【請求項１０】
請求項１から９のいずれか一項に記載のカット紙包装部材と、
前記カット紙包装部材に収納されている複数のカット紙と、
を備えていることを特徴とするカット紙包装体。
【請求項１１】
カット紙の表面に画像形成する画像形成装置において、
複数の前記カット紙を収納する、カット紙包装部材の一部に付されているカット紙情報を読み取る読取手段と、
前記読取手段で読み取った前記カット紙情報の少なくとも一部を出力する出力手段と、
前記カット紙包装部材から取り外された前記カット紙情報が付されている部分が挿入可能な情報カード装着部とを有し、
前記読取手段は、前記情報カード装着部に設けられている、
ことを特徴とする画像形成装置。
【請求項１２】
請求項１１に記載の画像形成装置において、
前記カット紙の給紙口には、前記カット紙の幅方向の位置をガイドするための固定ガイドと移動ガイドとが設けられ、
前記給紙口内の前記固定ガイド側に前記読取手段が設けられている、
ことを特徴とする画像形成装置。
【請求項１３】
請求項１１または１２に記載の画像形成装置において、
前記出力手段は、前記読取手段で読み取った前記カット紙情報の少なくとも一部を表示する表示手段と、画像形成装置を制御する画像形成制御装置へ該カット紙情報の少なくとも一部を送信する送信手段とのうち、少なくとも一方を有している、
ことを特徴とする画像形成装置。
【発明の詳細な説明】
【０００１】
【発明の属する技術分野】
本発明は、プリンタやコピー等の画像形成装置、これに使用されるカット紙の包装部材、及び、複数のカット紙とこれを包む包装部材を有するカット紙包装体に関する。
【０００２】
【従来の技術】
従来、カット紙に印刷する場合、ユーザは、これから印刷に使用するカット紙の紙種等のカット紙情報を、プリンタホストに入力してから、プリンタに印刷実行させている。
【０００３】
【発明が解決しようとする課題】
しかしながら、このような従来技術では、ユーザ自らカット紙情報を入力しなければならず、甚だ面倒であるという問題点がある。また、紙種等のカット紙情報を誤って入力すると、印刷品質が悪化してしまう等の問題点もある。
【０００４】
本発明は、このような従来の問題点について着目してなされたものであり、ユーザ自らカット紙情報の入力操作を省き、入力ミスを防ぐことができるカット紙包装部材、複数のカット紙とこれを包む包装部材を有するカット紙包装体、及び画像形成装置を提供することを目的とする。
【０００５】
【課題を解決するための手段】
前記目的を達成するための第一のカット紙包装部材は、
画像形成装置で画像形成に用いられるカット紙を複数枚重ねた状態で収納するカット紙包装部材において、
蓋側と本体側とにカット紙包装部材を分けるための切離し線が形成され、
前記本体側であって、前記切離し線に隣接した位置に、センサで読み取り可能なカット紙情報が付されている、ことを特徴とするものである。
【０００６】
前記目的を達成するための第二のカット紙包装部材は、
画像形成装置で画像形成に用いられる矩形状のカット紙を複数枚重ねた状態で収納するカット紙包装部材において、
収納されている矩形状の前記カット紙の長手方向の一端側が本体側となり、他端側が蓋側になるように、カット紙包装部材を分けるための第一の切離し線が形成され、
収納されている矩形状の前記カット紙の短手方向の一端側が本体側となり、他端側が蓋側になるように、カット紙包装部材を分けるための第二の切離し線が形成され、
前記第一の切離し線で分けられる場合の前記本体側の該第一の切離し線に隣接した位置、及び、前記第二の切離し線で分けられる場合の前記本体側の該第二の切離し線に隣接した位置に、それぞれ、センサで読み取り可能なカット紙情報が付されている、ことを特徴とするものである。
【０００７】
前記目的を達成するための第三のカット紙包装部材は、
前記第一又は第二のカット紙包装部材において、
前記蓋側を切り離して、該蓋側が取り外された側を前記画像形成装置に向けて、前記本体側に覆われている複数のカット紙を該画像形成装置に配した際、前記画像形成装置の前記カット紙の幅方向の位置をガイドするための固定ガイドと移動ガイドとのうち、該固定ガイド側となる位置に、前記カット紙情報が付されている、ことを特徴とするものである。
【０００８】
前記目的を達成するための第四のカット紙包装部材は、
前記第三のカット紙包装部材において、
前記カット紙情報は、前記本体側を形成する複数の面のうち、包装されている複数のカット紙の表面に対向している面に付され、
前記蓋側を切り離して、該蓋側が取り外された側を前記画像形成装置に向けて、前記本体側に覆われている複数のカット紙を該画像形成装置に配した際、前記固定ガイドと対向する面が取り外し可能に施されている、ことを特徴とするものである。
【０００９】
前記目的を達成するための第五のカット紙包装部材は、
前記第一から第四のいずれかのカット紙包装部材において、
前記本体側から前記蓋側へ向うカット紙挿入方向と平行に、前記カット紙情報が並んで付されている、ことを特徴とするものである。
【００１０】
前記目的を達成するための第六のカット紙包装部材は、
前記第一から第五のいずれかのカット紙包装部材において、
前記本体側から前記蓋側へ向うカット紙挿入方向を示す矢印が、該本体側に付されている、ことを特徴とするものである。
【００１１】
前記目的を達成するための第七のカット紙包装部材は、
センサで読み取り可能なカット紙情報が付されている情報カード部を有し、
前記情報カード部が取外し可能に施されている、ことを特徴とするものである。
【００１２】
前記目的を達成するための第八のカット紙包装部材は、
前記第一から第七のいずれかのカット紙包装部材において、
前記カット紙情報は、カット紙の型番、サイズ、紙種、厚さ、枚数、単価のうち、少なくとも一つを含む、ことを特徴とするものである。
【００１３】
前記目的を達成するための第九のカット紙包装部材は、
前記第一から第八のいずれかのカット紙包装部材において、
前記カット紙情報は、バーコード表示である、ことを特徴とするものである。
【００１４】
前記目的を達成するための第十のカット紙包装部材は、
前記第一から第八のいずれかのカット紙包装部材において、
前記用紙情報は、バーコード表示及び文字表示である、ことを特徴とするものである。
【００１５】
前記目的を達成するための第十一のカット紙包装体は、
前記第一から第十のいずれかのカット紙包装部材と、
前記カット紙包装部材に収納されている複数のカット紙と、
を備えていることを特徴とするものである。
【００１６】
前記目的を達成するための第一の画像形成装置は、
複数のカット紙を収納するカット紙包装部材の一部に付されているカット紙情報を読み取る読取手段と、
前記読取手段で読み取った前記カット紙情報の少なくとも一部を出力する出力手段と、
を備えていることを特徴とするものである。
【００１７】
前記目的を達成するための第二の画像形成装置は、
前記第一の画像形成装置において、
前記カット紙の給紙口には、前記カット紙の幅方向の位置をガイドするための固定ガイドと移動ガイドとが設けられ、
前記給紙口内の前記固定ガイド側に前記読取手段が設けられている、ことを特徴とするものである。
【００１８】
前記目的を達成するための第三の画像形成装置は、
前記第一の画像形成装置において、
前記カット紙包装部材から取り外された前記カット紙情報が付されている部分が挿入可能な情報カード装着部を有し、
前記情報カード装着部には前記読取手段が設けられている、ことを特徴とするものである。
【００１９】
前記目的を達成するための第四の画像形成装置は、
前記第一から第三のいずれかの画像形成装置において、
前記出力手段は、前記読取手段で読み取った前記カット紙情報の少なくとも一部を表示する表示手段を有している、ことを特徴とするものである。
【００２０】
前記目的を達成するための第五の画像形成装置は、
前記第一から第四のいずれかの画像形成装置において、
前記出力手段は、画像形成装置を制御する画像形成制御装置へ、前記読取手段で読み取った前記カット紙情報の少なくとも一部を送信する送信手段を有している、ことを特徴とするものである。
【００２１】
【発明の実施の形態】
以下、本発明に係る各種実施形態について、図面を用いて説明する。
【００２２】
第一の実施形態としての画像形成システムは、図１に示すように、プリンタホスト１０と、このプリンタホスト１０から出力された印刷コマンドに基づいて印刷するプリンタ３０と、を備えている。
【００２３】
プリンタホスト１０は、ホスト本体１１と、ディスプレイ装置１２と、キーボード１３と、を備えている。ホスト本体１１は、各種プログラムを実行するＣＰＵ２０と、各種データや各種プログラムが記憶されているＲＯＭ２１と、各種データや各種プログラムが一時的に記憶されるＲＡＭ２２と、ディスプレイ装置（表示手段）１２を制御するディスプレイコントローラ２３と、キーボード１３を制御するキーボードコントローラ２４と、フロッピーディスクドライブ２５と、ハードディスクドライブ２６と、ＣＤ−ＲＯＭドライブ２７と、プリンタインタフェース２８と、ネットワークインタフェース２９と、を有している。
【００２４】
なお、プリンタホスト１０の動作プログラムは、ＣＤ−ＲＯＭ１７等で提供され、このＣＤ−ＲＯＭ１７をＣＤ−ＲＯＭドライブ２７で再生し、これをハードディスクドライブ２６にインストールしてから、ＲＡＭ２２にロードして、これをＣＰＵ２０が実行することで機能する。
【００２５】
プリンタ３０は、モニタ（出力手段、表示手段）３７と、印刷機構４１と、これらを制御する印刷制御器３１と、を有している。印刷制御器３１は、各種プログラムを実行するＣＰＵ３２と、各種データや各種プログラムが記憶されているＲＯＭ３３と、各種データや各種プログラムが一時的に記憶されるＲＡＭ３４と、モニタ３７を制御するモニタコントローラ３５と、インタフェース（出力手段）３６と、を有している。
【００２６】
印刷機構４１や印刷制御器３１は、ケーシング内に収められている。図２に示すように、このケーシング４０には、カット紙給紙口４２、カット紙排紙口４７が形成されている。カット紙給紙口４２には、給紙トレイ４３と、カット紙１の幅方向に位置をガイドするための移動ガイド４４及び固定ガイド４５とが、設けられている。また、カット紙給紙口４２内には、バーコードリーダ（読取手段）４６が設けられている。カット紙排紙口４７には、排紙トレイ４８が設けられている。
【００２７】
次に、カット紙包装部材の第一の実施形態について、図３及び図４を用いて説明する。
【００２８】
本実施形態のカット紙包装部材５０は、カット紙１を複数枚積層した状態で包装するため、段ボール（その他の厚紙、堅紙等）で直方体形状に形成されている。カット紙包装部材５０には、内部の複数のカット紙１を出すために、蓋側５１と本体側５２とに分ける切離し線５３が形成されている。この切離し線５３は、カット紙包装部材５０の長手方向に対して垂直な方向に形成されている。この切離し線５３は、蓋側５１と本体側５２とに分け易いように、ミシン目で形成されている。
【００２９】
本体側５２の一面５４には、カット紙挿入矢印５６、及び、包装部材内に入れられるカット紙１に関するカット紙情報５７が印刷されている。この本体側５２の一面５４は、内部に収納されたカット紙１の表面と対向する面である。カット紙挿入矢印５６は、本体側５２から蓋側５１に向けられている。また、カット紙情報５７は、矢印５６が示す方向に向って左端の位置で且つ切離し線５３に隣接した位置に印刷されている。
【００３０】
カット紙情報５７としては、図４に示すように、カット紙の型番、サイズ、紙種、厚さ、枚数、単価等がある。これらは、その内容を表す文字と共にバーコードで示されている。バーコードと共に文字を併記したのは、ユーザが目視でカット紙情報を把握できるようにするためである。各情報は、カット紙挿入矢印の方向、言い換えると、カット紙挿入方向に並んでいる。
【００３１】
次に、以上で説明した画像形成システムで、カット紙包装部材に包装されたカット紙に印刷する際の動作について説明する。
【００３２】
まず、ユーザは、図３に示すように、カット紙包装部材５０を切離し線５３に沿って切断して、カット紙包装部材５０の本体側５２から蓋側５１を切り離す。次に、ユーザは、図２に示すように、カット紙包装部材５０の本体側５２及びこの中に入っているカット紙１を、カット紙挿入矢印５６がプリンタ３０の給紙口４２に向くようにして、給紙トレイ４３上に置く。本体側５２が給紙トレイ４３に置かれると、本体側５２は給紙トレイ４３上を滑って、本体側５２の先端部分及び本体側５２から露出しているカット紙１が給紙口４２内に入り込む。この過程で、本体側５２に付されているカット紙情報５７は、給紙口４２内のバーコードリーダ４６に読み取られる。なお、カット紙１を給紙口４２に挿入する状態の本体側５２の固定ガイド４５側に、カット紙情報５７を付し、給紙口４２内の固定ガイド４５側にバーコードリーダ４６を設けたのは、カット紙のサイズが変わっても、カット紙情報５７の固定ガイド４５からの距離が変わらず、特定箇所に固定したバーコードリーダ４６で読み取れるからである。
【００３３】
ところで、バーコードリーダ４６でバーコードを読み取る場合には、バーコードが並んでいる方向に、バーコードリーダ４６を相対的に移動させる必要がある。本実施形態では、カット紙情報５７を表しているバーコードがカット紙挿入方向に並んでいるため、バーコードリーダ４６を移動させなくても、カット紙包装部材５０の本体側５２を給紙口４２に挿入する過程で、カット紙情報を表しているバーコードを読み取ることができる。
【００３４】
なお、本発明は、カット紙情報を表しているバーコードがカット紙挿入方向に並んでいることに限定されるものではなく、例えば、バーコードがカット紙挿入方向に対して直角な方向に並んでいてもよい。この場合、バーコードが並んでいる方向にバーコードリーダを相対移動させることになる。
【００３５】
バーコードリーダ４６で読み取られたカット紙情報は、プリンタ３０のＲＡＭ３４内に一旦記憶される。
【００３６】
続いて、ユーザは、プリンタホスト１０で印刷条件を設定する。印刷条件設定では、プリンタホスト１０のディスプレイ装置１２に、図５及び図６に示すような印刷条件設定画面が表示される。一般的には、図５に示す基本設定画面で、例えば、用紙種を設定する場合には、ユーザは、用紙種欄６０内の矢印６０ａをクリックして、複数の用紙種をプルダウン表示させ、複数の用紙種から一つを選択する。また、図６に示す用紙設定画面で、例えば、用紙サイズを設定する場合には、用紙サイズ欄６１の矢印６１ａをクリックして、複数の用紙サイズをプルダウン表示させ、複数の用紙サイズから一つを選択する。
【００３７】
これに対して、本実施形態では、プリンタホスト１０は、印刷条件設定画面を表示する際、プリンタ３０に対してカット紙情報を要求し、プリンタ３０が取得したカット紙情報を取り込んで、このカット紙情報に基づいて、用紙種や用紙サイズ等を表示する。すなわち、図５に示す基本設定画面では、プリンタ３０からカット紙情報に含まれている用紙種が用紙種欄６０に自動的に表示される。また、図６に示す用紙設定画面では、プリンタ３０からのカット紙情報に含まれている用紙サイズが用紙サイズ欄６１に自動的に表示される。なお、この実施形態では、以上の自動更新の他に、手動更新も可能である。この手動更新は、印刷条件設定画面に「更新」ボタンを設けて、これがクリックされたときに更新するものである。この手動更新は、ネットワーク接続などのときにムダな通信を減らしたり、プリンタにセットされていない用紙サイズで文書を編集するときに有効である。
【００３８】
このように、本実施形態では、カット紙に関する情報が自動的に設定されるため、ユーザがわざわざカット紙に関する情報をホスト１０に設定する手間を省くことができる上に、情報の入力ミスを防ぐことができる。なお、各種カット紙情報は、プリンタ３０のモニタ３７（図１に示す）に、表示するようにしてもよい。
【００３９】
ところで、カット紙情報を取得できないプリンタを使用する場合には、プリンタホスト１０がプリンタに対してカット紙情報を要求しても、プリンタがこれに応じることができない。そこで、本実施形態では、先に述べた一般例のように、各種カット紙情報をユーザが選択できる機能を残し、プリンタからカット紙情報が送信されてきた場合に、このカット紙情報を優先的に表示するようにしている。
【００４０】
なお、ここでは、複数のカット紙情報のうち、用紙種及び用紙サイズのみを表示しているが、プリンタ３０が取得した全てのカット紙情報、つまり、サイズや紙種の他、型番、厚さ、枚数、単価等も表示するようにしてもよい。また、逆に、プリンタ３０からカット紙情報が取得できた場合には、このカット紙情報の設定のみを行い、このカット紙情報を表示しないようにしてもよい。但し、単価に関しては、表示することが好ましい。また、この単価を表示する際には、印刷部数から求められる総印刷コストも併せて表示するとよい。
【００４１】
カット紙情報のうち、カット紙の厚さは、例えば、プリンタ３０の印刷ヘッドの移動速度の補正等に使用され、枚数は、カット紙の残枚数の把握等に使用される。
【００４２】
また、本実施形態では、カット紙包装部材５０の本体側５２に、複数のカット紙１が入っている状態で、給紙トレイ４３上にカット紙１を置くため、カット紙１にホコリが付かないというメリットもある。なお、給紙トレイ４３上のカット紙のサイズを変える場合には、カット紙包装部材５２の本体側５２と共にカット紙を交換する。このため、この交換作業も容易に行うことができる。
【００４３】
また、一般的に、包装部材からカット紙を取出して、給紙トレイ上に複数のカット紙を載せる際には、一旦、複数のカット紙を揃える必要がある。しかしながら、本実施形態では、カット紙包装部材５０の本体側５２に、複数のカット紙１が入っている状態で、給紙トレイ４３上にカット紙１を置くため、このような手間をかける必要もない。
【００４４】
なお、本実施形態のカット紙包装部材は、段ボールで形成したが、樹脂や金属で形成してもよい。この場合、カット紙包装部材は、段ボールよりも剛性が高く且つ耐久性があるため、給紙カセットとしての役目も担うことができる。さらに、この場合には、カット紙を新たに購入する際、使用済みのカット紙包装部材を販売業者に引き取ってもらい、これを再利用させるようにしてもよい。
【００４５】
次に、カット紙包装部材の第二の実施形態について、図７を用いて説明する。本実施形態のカット紙包装部材５０ａは、本体側５２を構成している複数の面のうち、カット紙挿入矢印５６やカット紙情報が印刷されている面５４と隣り合っている面で、カット紙挿入矢印５６の示す方向に対して左側の面５５を切り離し可能にしたものである。この面５５と本体側５２との境には、切離し線５５ａとしてミシン目が施され、容易にこの側面５５を切り離せるようになっている。
【００４６】
本実施形態において、側面５５を切り離せるようにしたのは、本体側５２内の複数のカット紙１の側面が、プリンタ３０の固定側ガイド４５に密着させるためである。なお、複数のカット紙１の側面を固定側ガイド４５に必ずしも密着させる必要はないが、カット紙包装部材の側面を形成する部材の厚みが比較的厚い場合には、本実施形態のように、この側面を切り離せるようにして、複数のカット紙１の側面を固定側ガイド４５に密着さることが好ましい。
【００４７】
次に、カット紙包装部材の第三の実施形態について、図８を用いて説明する。以上の実施形態は、いずれも、カット紙挿入方向がカット紙の長手方向の場合、つまり、カット紙の縦置きの場合のみを考慮したものであるが、この実施形態は、カット紙が横置きの場合も考慮したものである。
【００４８】
本実施形態のカット紙包装部材５０ｂは、矩形状のカット紙の長手方向の端部に相当する位置に第一の蓋側５１ａが存在し、カット紙の長手方向の逆の端部に相当する側に第一の本体側５２ａが存在するよう、カット紙の短手方向に平行に第一の切離し線５３ａが形成され、さらに、カット紙の短手方向の端部に相当する位置に第二の蓋側５１ｂが存在し、カット紙の短手方向の逆の端部に相当する側に第二の本体側５２ｂが存在するよう、カット紙の長手方向に平行に第二の切離し線５３ｂが形成されている。
【００４９】
カット紙挿入矢印としては、第１の本体側５２ａから第一の蓋側５１ａに向く第一のカット紙挿入矢印５６ａと、第二の本体側５２ｂから第二の蓋側５１ｂに向く第二のカット紙挿入矢印５６ｂとが、それぞれ、第一の本体側５２ａ、第二の本体側５２ｂに印刷されている。
【００５０】
また、カット紙情報は、第一のカット紙挿入矢印５６ａが示す方向に向って左端の位置で且つ第一の切離し線５３ａに隣接した位置と、第二のカット紙挿入矢印５６ｂが示す方向に向って左端の位置で且つ第二の切離し線５３ｂに隣接した位置とに、それぞれ、第一のカット紙情報５７ａ、第二のカット紙情報５７ｂが印刷されている。
【００５１】
例えば、カット紙を縦置きで使用する場合には、第一の蓋側５１ａを第一の本体側５２ａから切り離して、第一の本体側５２ａ及びこの中に入っているカット紙を、第一のカット紙挿入矢印５６ａがプリンタ３０の給紙口４２に向くようにして、給紙トレイ４３上に置く。また、カット紙を横置きで使用する場合には、第二の蓋側５１ｂを第二の本体側５２ｂから切り離して、第二の本体側５２ｂ及びこの中に入っているカット紙を、第二のカット紙挿入矢印５６ｂがプリンタ３０の給紙口４２に向くようにして、給紙トレイ４３上に置く。以下は、いずれの場合も第一の実施形態と同様に、第一のカット紙情報５７ａ及び第二のカット紙情報５７ｂは、プリンタ３０のバーコードリーダ４６で読み取られる。
【００５２】
以上のように、本実施形態では、カット紙を縦置きに使用する場合でも横置きに使用する場合でも、カット紙と共に本体側５２ａ，５２ｂを給紙トレイ４３上に置くことができるため、いずれの場合も、本体側５２ａ，５２ｂに印刷されているカット紙情報５７ａ，５７ｂをプリンタ３０で読み取ることができる。
【００５３】
なお、本実施形態において、第一のカット紙情報５７ａと第二のカット紙情報５７ｂは、いずれも第一の実施形態におけるカット紙情報５７と同じであるが、第一のカット紙情報に縦置きである旨の情報を含め、第二のカット紙情報に横置きである旨の情報を含めるようにしてもよい。
【００５４】
また、本実施形態においても、第二の実施形態と同様に、本体側５２ａ，５２ｂの各面のうち、カット紙挿入矢印５６ａ，５６ｂが示す方向に向って左側の側面を切り離せるようにしてもよい。
【００５５】
次に、カット紙包装部材の第四の実施形態について、図９を用いて説明する。本実施形態のカット紙包装部材５０ｃも第一の実施形態と同様に、蓋側５１と本体側５２ｃとに分ける切離し線５３が形成され、本体側５２ｃの一面５４ｃには、本体側５２ｃから蓋側５１へ向うカット紙挿入矢印５６と、このカット紙挿入矢印５６が示す方向に向って左側で且つ切離し線５３に隣接した位置にカット紙情報５７ｃとが印刷されている。
【００５６】
本体側５２ｃの一面５４ｃであって、カット紙情報５７ｃが印刷されている部分は、情報カード５９として、本体側５２ｃから切り離せるように、その縁にミシン目が施されている。
【００５７】
この実施形態のカット紙包装部材５０ｃは、情報カード５９を本体側５２ｃから切り離さない場合には、第一の実施形態と同様に使用することができる。また、情報カード５９を本体側５２ｃから切り離す場合には、以下で説明する第二の実施形態としてのプリンタを用いる。
【００５８】
図１０に示すように、第二の実施形態としてのプリンタ３０ａのケーシング４０ａには、第一の実施形態としてのプリンタ３０と同様に、カット紙給紙口４２、カット紙排紙口４７が形成されている。カット紙給紙口４２には、給紙トレイ４３と、カット紙１の幅方向に位置をガイドするための移動ガイド４４及び固定ガイド４５とが、設けられている。カット紙排紙口４７には、排紙トレイ４８が設けられている。ケーシング４０ａには、さらに、情報カード挿入口（情報カード装着部）４９が形成されている。この情報カード挿入口４９内には、バーコードリーダ４６ａが設けられている。本体側５２ｃから切り離した情報カード５９は、この情報カード挿入口４９に挿入されると、情報カード５９に印刷されているカット紙情報５７ｃがバーコードリーダ４６ａに読み取られる。
【００５９】
なお、第四の実施形態のカット紙包装部材５０ｃでは、第一の実施形態としてのプリンタ３０でも、第二の実施形態としてのプリンタ３０ａでも、カット紙情報５７，５７ｃを読み取れるように、カット紙挿入矢印５６が示す方向に向って左側で且つ切離し線に隣接した部分を情報カード５９としたが、第二の実施形態としてのプリンタ３０ａでのみ使用する場合には、包装部材５０ｃのいずれの部分を情報カード５９にしてもよい。
【００６０】
また、第四の実施形態のカット紙包装部材５０ｃでは、情報カード５９を本体側５２ｃから切り離して使用するが、例えば、カット紙情報が印刷された剥離シードをカット紙包装部材に貼り付けておき、この剥離シートを剥がして、これを情報カードとして使用してもよい。
【００６１】
なお、以上の実施形態は、いずれも、画像形成装置としてのプリンタを対象にしているものであるが、本発明は、これに限定されるものではなく、コピーを対象にしてもよい。
【００６２】
【発明の効果】
本発明によれば、カット紙包装部材にカット紙情報が付され、このカット紙情報が付されている部分を画像形成装置に装着すると、カット紙情報が画像形成装置に読み込まれるので、ユーザ自らカット紙情報の入力する手間を省けると共に、カット紙情報の入力ミスを無くすことができる。
【００６３】
また、本発明では、カット紙は、カット紙包装部材の本体側に収納された状態で使用されるので、カット紙にホコリが付かず、しかも、カット紙の交換時には、本体側と共に交換するので、カット紙を容易に交換することができる。
【図面の簡単な説明】
【図１】本発明に係る第一の実施形態における画像形成システムの回路ブロック図である。
【図２】本発明に係る第一の実施形態におけるプリンタ及びカット紙包装部材の斜視図である。
【図３】本発明に係る第一の実施形態におけるカット紙包装部材の斜視図である。
【図４】本発明に係る第一の実施形態におけるカット紙包装部材の要部平面図である。
【図５】本発明に係る第一の実施形態におけるプリンタホストの印刷基本設定画面を示す説明図である。
【図６】本発明に係る第一の実施形態におけるプリンタホストの印刷用紙設定画面を示す説明図である。
【図７】本発明に係る第二の実施形態におけるカット紙包装部材の斜視図である。
【図８】本発明に係る第三の実施形態におけるカット紙包装部材の斜視図である。
【図９】本発明に係る第四の実施形態におけるカット紙包装部材の斜視図である。
【図１０】本発明に係る第二の実施形態におけるプリンタ、及び第四の実施形態におけるカット紙包装部材の斜視図である。
【符号の説明】
１…カット紙
１０…プリンタホスト
１２…ディスプレイ装置
３０，３０ａ…プリンタ
３７…モニタ
４０，４０ａ…ケーシング
４１…印刷機構
４２…カット紙給紙口
４３…給紙トレイ
４４…移動ガイド
４５…固定ガイド
４６，４６ａ…バーコードリーダ
４９…情報カード挿入口
５０，５０ａ，５０ｂ，５０ｃ…カット紙包装部材
５１，５１ａ…蓋側
５２，５２ａ，５２ｂ，５２ｃ…本体側
５３，５３ａ，５３ｂ，５３ｃ…切離し線
５６，５６ａ，５６ｂ…カット紙挿入矢印
５７，５７ａ，５７ｂ，５７ｃ…カット紙情報
５９…情報カード
【図１】
0003570313.tif 000002
【図２】
0003570313.tif 000003
【図３】
0003570313.tif 000004
【図４】
0003570313.tif 000005
【図５】
0003570313.tif 000006
【図６】
0003570313.tif 000007
【図７】
0003570313.tif 000008
【図８】
0003570313.tif 000009
【図９】
0003570313.tif 000010
【図１０】
0003570313.tif 000011